(57)【特許請求の範囲】
【請求項１】
外縁の内側に形成された受け側凹部、又は前記外縁の内側に形成された受け側凸部を具備する係合受け部を有する防水パン本体と、
前記受け側凹部又は前記受け側凸部に係合する係合凸部又は係合凹部を具備する第１係合部、及び前記防水パン本体の外縁部を挟んだ状態に前記外縁部に係合する第２係合部を有し、前記防水パン本体の縁部に取り付けられたアタッチメントと、
を備えていることを特徴とする防水パン。
【請求項２】
前記受け側凹部の受け側係合面、及び前記係合凸部の係合部側係合面の少なくとも一方が設置状態において上側に向かい前記防水パン本体から離れる方向に傾斜していることを特徴とする請求項１に記載の防水パン。
【請求項３】
前記受け側凸部の受け側係合面、及び前記係合凹部の係合部側係合面の少なくとも一方が設置状態において上側に向かい前記防水パン本体に近づく方向に傾斜していることを特徴とする請求項１に記載の防水パン。
【請求項４】
前記係合受け部は、前記受け側係合面に対向し、前記設置状態において垂直方向に延びた第１止水面を有し、
前記係合凸部は、前記係合部側係合面の反対側であって、前記設置状態において垂直方向に延びた第２止水面を有し、
前記設置状態において、前記第１止水面と前記第２止水面とが当接していることを特徴とする請求項２に記載の防水パン。
【請求項５】
前記係合受け部は、前記受け側係合面の反対側であって、前記設置状態において垂直方向に延びた第３止水面を有し、
前記係合凹部は、前記係合部側係合面に対向し、前記設置状態において垂直方向に延びた第４止水面を有し、
前記設置状態において、前記第３止水面と前記第４止水面とが当接していることを特徴とする請求項３に記載の防水パン。
【請求項６】
前記アタッチメントには、前記設置状態において上下方向に貫通した第１ねじ穴が形成され、
前記防水パン本体には、前記設置状態において上方に開口し、凹設した第２ねじ穴が形成されており、
前記第１ねじ穴に挿通され、前記第２ねじ穴にねじ込まれるねじを備えていることを特徴とする請求項２乃至５のいずれか１項に記載の防水パン。
【発明の詳細な説明】
【技術分野】
【０００１】
本発明は防水パンに関するものである。
【背景技術】
【０００２】
特許文献１は、折戸枠が載置される支持枠が防水パンの端面にねじ止め固定されている。また、この防水パンは、支持枠と防水パンとの間にシール部材が設けられている。これにより、この防水パンは支持枠と防水パンとの間を経由して漏水することを抑えることができる。
【先行技術文献】
【特許文献】
【０００３】
【特許文献１】特許第３９４９９７４号公報
【発明の概要】
【発明が解決しようとする課題】
【０００４】
しかし、特許文献１は、防水パンの端面から水平方向に延びるように支持枠が取り付けられており、防水パンと支持枠とが水平方向に並んで配置されて接続されている。このため、例えば、支持枠の上に使用者が乗るなどした場合、支持枠の先端部が下方向に撓んでしまい、これにより、防水パンと支持枠との当接面同士が離れて隙間が生じる可能性がある。この場合、支持枠とシール部材との間、又は防水パンとシール部材との間に隙間が生じるおそれがあり、この隙間を経由して漏水するおそれがある。
【０００５】
本発明は、上記従来の実情に鑑みてなされたものであって、漏水を良好に抑えることができる防水パンを提供することを解決すべき課題としている。
【課題を解決するための手段】
【０００６】
本発明の防水パンは、
外縁の内側に形成された受け側凹部、又は前記外縁の内側に形成された受け側凸部を具備する係合受け部を有する防水パン本体と、
前記受け側凹部又は前記受け側凸部に係合する係合凸部又は係合凹部を具備する第１係合部、及び前記防水パン本体の外縁部を挟んだ状態に前記外縁部に係合する第２係合部を有し、前記防水パン本体の縁部に取り付けられたアタッチメントとを備えていることを特徴とする。
【０００７】
本発明の防水パンは、受け側凹部にアタッチメントの係合凸部が係合し、又は受け側凸部にアタッチメントの係合凹部が係合する。つまり、この防水パンは防水パン本体とアタッチメントとが互いに凹部と凸部が嵌り合い係合している。このため、この防水パンは水が流れ難く止水性が良好である。また、アタッチメントを防水パン本体に固定するためにねじを用いておらず、ねじを挿通する挿通孔が不要となるため止水性が良好である。また、仮にねじで固定する場合であっても、係合とねじとを併用することになるため、アタッチメントと防水パン本体とをより強固に固定することができ、止水性が良好である。
【０００８】
したがって、本発明の防水パンは漏水を良好に抑えることができる。
【図面の簡単な説明】
【０００９】
【図１】実施例１の防水パンを備えた浴室を上方からみた平面図である。
【図２】（Ａ）は図１における矢示Ａ−Ａ断面図であり、（Ｂ）は（Ａ）において、外周側立壁の一部を切り欠く前の状態を示す断面図である。
【図３】実施例１の防水パンの図２（Ａ）に対応した位置の断面図であって、防水パン本体の外縁部にアタッチメントが取り付けられた部分が床フレームの上面に載置された状態を示す。
【図４】実施例１の防水パンの図２（Ａ）に対応した位置の断面図であって、床フレームに載置した防水パン本体にアタッチメントを取り付ける工程を示す。
【図５】実施例２の防水パンを備えた浴室における、図２（Ａ）に対応した位置の断面図である。
【図６】実施例２の防水パンの図２（Ａ）に対応した位置の断面図であって、床フレームに載置した防水パン本体にアタッチメントを取り付ける工程を示す。
【図７】実施例３の防水パンを備えた浴室における、図２（Ａ）に対応した位置の断面図である。
【発明を実施するための形態】
【００１０】
本発明における好ましい実施の形態を説明する。
【００１１】
本発明の防水パンの受け側凹部の受け側係合面、及び係合凸部の係合部側係合面の少なくとも一方が設置状態において上側に向かい防水パン本体から離れる方向に傾斜し得る。この場合、受け側係合面及び係合部側係合面はアタッチメントを防水パン本体に取り付ける際に、呼込み面として機能するため、アタッチメントを防水パン本体に取り付け易くすることができる。
【００１２】
本発明の防水パンの受け側凸部の受け側係合面、及び係合凹部の係合部側係合面の少なくとも一方が設置状態において上側に向かい前記防水パン本体に近づく方向に傾斜し得る。この場合、受け側係合面及び係合部側係合面はアタッチメントを防水パン本体に取り付ける際に、呼込み面として機能するため、アタッチメントを防水パン本体に取り付け易くすることができる。
【００１３】
本発明の防水パンの係合受け部は、受け側係合面に対向し、設置状態において垂直方向に延びた第１止水面を有し、係合凸部は、係合部側係合面の反対側であって、設置状態において垂直方向に延びた第２止水面を有し、設置状態において、第１止水面と第２止水面とが当接し得る。この場合、第１係合部が係合受け部に嵌りこむ際に、受け側係合面又は係合部側係合面の傾斜によってアタッチメントに対して、第１止水面、及び第２止水面が互いに当接して押し付け合う方向に力が付与され、アタッチメントが防水パン本体に取り付けられる。これにより、互いに当接した第１止水面、及び第２止水面から漏水し難くすることができる。
【００１４】
本発明の防水パンの係合受け部は、受け側係合面の反対側であって、設置状態において垂直方向に延びた第３止水面を有し、係合凹部は、係合部側係合面に対向し、設置状態において垂直方向に延びた第４止水面を有し、設置状態において、第３止水面と第４止水面とが当接し得る。この場合、第１係合部が係合受け部に嵌りこむ際に、受け側係合面又は係合部側係合面の傾斜によってアタッチメントに対して、第３止水面、及び第４止水面が互いに当接して押し付け合う方向に力が付与され、アタッチメントが防水パン本体に取り付けられる。これにより、当接した第３止水面、及び第４止水面から漏水し難くすることができる。
【００１５】
本発明の防水パンのアタッチメントには設置状態において上下方向に貫通した第１ねじ穴が形成され、防水パン本体には設置状態において上方に開口し、凹設した第２ねじ穴が形成されており、第１ねじ穴に挿通され、第２ねじ穴にねじ込まれるねじを備え得る。この場合、第２ねじ穴は貫通していないため、第２ねじ穴を経由して漏水することはない。そして、第１ねじ穴に挿通され、第２ねじ穴にねじ込まれるねじによってアタッチメントを防水パン本体に対して確実に固定することができる。
【００１６】
次に、本発明の防水パンを具体化した実施例１〜３について、図面を参照しつつ説明する。
【００１７】
＜実施例１＞
実施例１の防水パン２０は、マンションや戸建て住宅の浴室１０に設けられ、洗い場用の防水床として機能する。防水パン２０は浴室１０の浴槽２１に隣接している（図１参照。）。防水パン２０は浴室１０が設置される設置場所に予め設けられた金属製の床フレーム５０に載置される（図２（Ａ）、（Ｂ）参照。）。以下、浴室１０が設置される設置場所の金属製の床フレーム５０に防水パン２０が載置された状態を設置状態という。
【００１８】
防水パン２０は、図１、２（Ａ）に示すように、外径が四角形状をなしほぼ平板状をなした防水パン本体３０と、防水パン本体３０の外縁部３１に取り付けられるアタッチメント３５とを備えている。防水パン本体３０の外縁部３１の下面は床フレーム５０の上面に当接し、床フレーム５０に対して固定されるようになっている。
【００１９】
また、防水パン本体３０の下面（裏面）には、防水パン本体３０の上面に作用する負荷に対する剛性を高める手段として、防水パン本体３０に対して直交する方向に垂下するリブ３２が設けられている。
【００２０】
防水パン本体３０の外縁部３１には、図２（Ａ）、（Ｂ）に示すように、断面が上面に開口し、ほぼＵ字状に形成された係合受け部４０が形成されている。係合受け部４０は防水パン本体３０の中央部側（図２（Ａ）、（Ｂ）における左側）に位置する本体側立壁４０Ａ、本体側立壁４０Ａの下端から防水パン本体３０の中央部から離れる方向に拡がる底壁４０Ｂ、及び底壁４０Ｂの先端から立ち上がる外周側立壁４０Ｃで形成されている。
本体側立壁４０Ａの防水パン本体３０の外側（図２（Ａ）、（Ｂ）における右側）を向いた面は第１止水面４０Ｆである。底壁４０Ｂの本体側立壁４０Ａ側には設置状態において上方に開口した受け側凹部４０Ｅが設けられている。受け側凹部４０Ｅは防水パン本体３０の外縁の内側に形成されている。受け側凹部４０Ｅの本体側立壁４０Ａから離れた側は上側に向かい外周側立壁４０Ｃに近づくように（すなわち、防水パン本体３０から離れる方向に）傾斜した受け側係合面４０Ｄが形成されている。つまり、第１止水面４０Ｆは受け側係合面４０Ｄに対向し、設置状態において垂直方向に延びている。
底壁４０Ｂには下方向に突出した突出部４０Ｇが設けられており、突出部４０Ｇの下面が床フレーム５０の上面に当接している。
【００２１】
防水パン本体３０の外縁部３１において後述するドア７５を取り付ける場所は各現場によって異なる。ドア７５は後述するドア枠７０によって支持される。アタッチメント３５はドア枠７０を防水パン本体３０の外縁部３１の所望の位置に取り付ける際に用いるものである。防水パン本体３０の外縁部３１の所望の位置にドア枠７０を取り付けるためには、防水パン本体３０の係合受け部４０の外周側立壁４０Ｃの一部４０Ｈ（図２（Ｂ）参照）を切り欠き、この部分にアタッチメント３５を取り付ける（図２（Ａ）、（Ｂ）参照。）。
アタッチメント３５は、図２（Ａ）、図３に示すように、防水パン本体３０の係合受け部４０の外周側立壁４０Ｃの一部４０Ｈを予め切り欠いた部分に取り付けられる。アタッチメント３５は図３における手前奥方向に延びて形成されている。アタッチメント３５は、第１係合部３６、及び第２係合部３７を有している。
【００２２】
第１係合部３６は第１係合部本体３６Ａ、及び連結部３６Ｂを具備している。第１係合部本体３６Ａは、防水パン本体３０の本体側立壁４０Ａの第１止水面４０Ｆに沿って上下方向に延びており、下端部が受け側凹部４０Ｅに嵌っている。受け側凹部４０Ｅに嵌っている第１係合部本体３６Ａの下端部は係合凸部３６Ｃであり、係合凸部３６Ｃには受け側凹部４０Ｅの受け側係合面４０Ｄに当接する係合部側係合面３６Ｄが形成されている。つまり、第１係合部３６は受け側凹部４０Ｅに係合する係合凸部３６Ｃを具備している。また、受け側凹部４０Ｅの受け側係合面４０Ｄ、及び係合凸部３６Ｃの係合部側係合面３６Ｄは設置状態において上側に向かい防水パン本体３０から離れる方向に傾斜している。第１係合部本体３６Ａの上端には水平方向に拡がる第１載置面３６Ｅが形成されている。第１載置面３６Ｅの上下方向の位置は本体側立壁４０Ａの上端とほぼ同じである。本体側立壁４０Ａの第１止水面４０Ｆに対向して当接する第１係合部本体３６Ａの面は第２止水面３６Ｆである。つまり、第２止水面３６Ｆは係合部側係合面３６Ｄの反対側であって、設置状態において垂直方向に延びている。また、設置状態において、第１止水面４０Ｆと第２止水面３６Ｆとは当接している。なお、第１止水面４０Ｆと第２止水面３６Ｆとの間に止水パッキン（図示せず）を介在させてもよい。この場合、第１止水面４０Ｆと第２止水面３６Ｆとは止水パッキンを介して間接的に当接した状態になる。
連結部３６Ｂは係合受け部４０の底壁４０Ｂの上側に沿うように水平方向に延びて形成されており、一端が第１係合部本体３６Ａの上下中間部に連結し、他端が後述する第２係合部３７の上下中間部に連結している。連結部３６Ｂの上側には水平方向に拡がる連結部平面３６Ｇが形成されている。第２係合部３７側の連結部３６Ｂの下側には上方向に窪んで窪み部３６Ｈが形成されている。窪み部３６Ｈには外周側立壁４０Ｃの一部４０Ｈ（図２（Ｂ）参照）が切り欠かれた後の状態の外周側立壁４０Ｃが配置されている。
【００２３】
第２係合部３７は係合受け部４０の外側（防水パン本体３０の外側）を覆うように上下方向に延びている。第２係合部３７の下端部には第１係合部本体３６Ａに近づく方向に突出した爪部３７Ａが設けられている。つまり、第２係合部３７は連結部３６Ｂとで、防水パン本体３０の外縁部３１を上下方向に挟んだ状態に外縁部３１に係合している。爪部３７Ａの下面は床フレーム５０の上面に当接している。第２係合部３７の上端には水平方向に拡がる第２載置面３７Ｂが形成されている。第２載置面３７Ｂの上下方向の位置は第１載置面３６Ｅより僅かに上である。こうしてアタッチメント３５は防水パン本体３０の縁部に取り付けられている。
【００２４】
ドア枠７０は、図２（Ａ）に示すように、防水パン本体３０の外縁部３１に配置されたアタッチメント３５に載置される。ドア枠７０は図２（Ａ）における手前奥方向に延びて形成されている。ドア枠７０は、ドア載置部７１、更衣室連結部７２、及び中間部７３を有している。
ドア載置部７１はドア載置部本体７１Ａ、第１当接部７１Ｂ、第２当接部７１Ｃ、及び第３当接部７１Ｄが設けられている。ドア載置部本体７１Ａは水平方向に延びている。第１当接部７１Ｂはドア載置部本体７１Ａの下面から垂下しており、下端部が防水パン本体３０の中央部から離れる方向に屈曲している。第１当接部７１Ｂの下端はアタッチメント３５の第１載置面３６Ｅの上面に配置されたパッキンＰの上面に当接している。
第２当接部７１Ｃはドア載置部本体７１Ａの下面から垂下しており、下端がアタッチメント３５の連結部平面３６Ｇの上面に当接している。
第３当接部７１Ｄはドア載置部本体７１Ａの下面から垂下しており、下端がアタッチメント３５の第２載置面３７Ｂの上面に当接している。
また、ドア載置部本体７１Ａと防水パン本体３０の本体側立壁４０Ａとの間にはシール部材Ｗが充填されている。
【００２５】
更衣室連結部７２は、水平方向に延びて形成され、防水パン本体３０の外周より外側に位置している。ドア載置部本体７１Ａから離れた側の更衣室連結部７２の端には更衣室側当接部７２Ａが垂下している。また、更衣室連結部７２には板厚方向に貫通して設けられた貫通孔７２Ｂが図２（Ａ）における手前奥方向に複数並んで形成されている。更衣室連結部７２は更衣室の床Ｆの上面に更衣室側当接部７２Ａの下端が当接され、貫通孔７２Ｂに挿通されたねじＳ１によって更衣室の床Ｆにねじ留めされる。
中間部７３は、ドア載置部７１と更衣室連結部７２との間に位置し、防水パン本体３０の外周より外側に位置している。中間部７３は、外形が四角形状の枠である中間部本体７３Ａと、中間部本体７３Ａの上面から上方向に突出する一対の突起部７３Ｂとを具備している。一方の突起部７３Ｂは中間部本体７３Ａとドア載置部本体７１Ａとが連結する近傍から上方向に突出している。他方の突起部７３Ｂは、一方の突起部７３Ｂとの間に所定の間隔を設け、一方の突起部７３Ｂよりもドア載置部７１から離れている。他方の突起部７３Ｂの先端は更衣室連結部７２のドア載置部７１に近い側に連結している。
【００２６】
また、ドア載置部本体７１Ａの上面にはピボット９０が連結されている。ピボット９０は、円柱状をなして上下方向に延びるピボット本体９０Ａ、及びピボット本体９０Ａの基端部が連結され、ドア載置部本体７１Ａの上面に連結される基部９０Ｂを具備している。
そして、ドア枠７０にはピボット本体９０Ａの中心軸を中心にして回動自在にドア７５が取り付けられる。また、中間部７３の一対の突起部７３Ｂの間には戸当たり部材が取り付けられる（図示せず。）。
【００２７】
次に、防水パン本体３０にアタッチメント３５を取り付ける方法について図４（Ａ）〜（Ｃ）を参照しつつ説明する。
【００２８】
先ず、床フレーム５０に防水パン本体３０を載置する（図４（Ａ）参照。）。そして、防水パン本体３０の外周側立壁４０Ｃの一部４０Ｈ（図２（Ｂ）参照）を予め切欠いた部分にアタッチメント３５を取り付ける。このとき、先ず、アタッチメント３５の第２係合部３７を係合受け部４０の外側に配置し、爪部３７Ａを係合受け部４０の下側に配置する（図４（Ｂ）参照。）。このとき、第１係合部本体３６Ａの係合凸部３６Ｃは受け側凹部４０Ｅの上方に位置している。そして、第２係合部３７を係合受け部４０の外側に配置し、第２係合部３７の爪部３７Ａを係合受け部４０の下側に配置した状態で、第１係合部本体３６Ａの係合凸部３６Ｃを受け側凹部４０Ｅに嵌め込む（図４（Ｃ）参照。）。このとき、第１係合部本体３６Ａの係合凸部３６Ｃの係合部側係合面３６Ｄが受け側凹部４０Ｅの受け側係合面４０Ｄに当接することによって、アタッチメント３５に防水パン本体３０の中央部に向かう方向（第１止水面４０Ｆと第２止水面３６Ｆとが互いに押付け合う方向）に力が加えられる。これにより、受け側凹部４０Ｅの本体側立壁４０Ａの第１止水面４０Ｆとアタッチメント３５の第２止水面３６Ｆとが互いに押付け合うように当接する。これにより、第１止水面４０Ｆと第２止水面３６Ｆとが密着する。
【００２９】
このように、防水パン２０は、防水パン本体３０の上方に開口した受け側凹部４０Ｅにアタッチメント３５の係合凸部３６Ｃが係合する。つまり、防水パン本体３０とアタッチメント３５とが上下に重なって互いに受け側凹部４０Ｅと係合凸部３６Ｃとが嵌り合い係合している。このため、防水パン２０は上下方向に水が流れ難く止水性が良好である。また、アタッチメント３５を防水パン本体３０に固定するためにねじを用いておらず、ねじを挿通する挿通孔が不要となるため止水性が良好である。また、仮にねじで固定する場合であっても、係合とねじとを併用することになるため、アタッチメント３５と防水パン本体３０とをより強固に固定することができ、止水性が良好である。
【００３０】
したがって、本発明の防水パン２０は漏水を良好に抑えることができる。
【００３１】
また、防水パン２０の受け側凹部４０Ｅの受け側係合面４０Ｄ、及び係合凸部３６Ｃの係合部側係合面３６Ｄが設置状態において上側に向かい防水パン本体３０から離れる方向に傾斜している。このため、受け側係合面４０Ｄ及び係合部側係合面３６Ｄはアタッチメント３５を防水パン本体３０に取り付ける際に、呼込み面として機能するため、アタッチメント３５を防水パン本体３０に取り付け易くすることができる。
【００３２】
また、防水パン２０の係合受け部４０は、受け側係合面４０Ｄに対向し、設置状態において垂直方向に延びた第１止水面４０Ｆを有し、係合凸部３６Ｃは、係合部側係合面３６Ｄの反対側であって、設置状態において垂直方向に延びた第２止水面３６Ｆを有し、設置状態において、第１止水面４０Ｆと第２止水面３６Ｆとが当接している。このため、第１係合部本体３６Ａが係合受け部４０に嵌りこむ際に、受け側係合面４０Ｄ及び係合部側係合面３６Ｄの傾斜によってアタッチメント３５に対して、第１止水面４０Ｆ、及び第２止水面３６Ｆが互いに当接して押し付け合う方向に力が付与され、アタッチメント３５が防水パン本体３０に取り付けられる。これにより、互いに当接した第１止水面４０Ｆ、及び第２止水面３６Ｆから漏水し難くすることができる。
【００３３】
＜実施例２＞
実施例２の防水パン１２０は、図５に示すように、防水パン本体１３０に受け側凸部１４０Ｅが設けられている点、アタッチメント１３５に係合凹部１３６Ｃが設けられている点等が実施例１と相違する。他の構成は実施例１と同一であり、同一の構成は同一の符号を付し、詳細な説明を省略する。
【００３４】
防水パン本体１３０の外縁部１３１には、防水パン本体１３０の外縁から垂下する本体側立壁４０Ａ、及び本体側立壁４０Ａの下端から防水パン本体１３０の中央部から離れる方向に拡がる底壁１４０Ｂが設けられている。本体側立壁４０Ａ及び底壁１４０Ｂは係合受け部１４０である。
底壁１４０Ｂの上側には本体側立壁４０Ａとの間に所定の寸法を設けて上方に突出する受け側凸部１４０Ｅが設けられている。つまり、係合受け部１４０には上方に突出する受け側凸部１４０Ｅが設けられている。また、受け側凸部１４０Ｅは防水パン本体１３０の外縁の内側に形成されている。受け側凸部１４０Ｅの本体側立壁４０Ａに対向した側は第３止水面１４０Ｆである。受け側凸部１４０Ｅの第３止水面１４０Ｆに対して反対側には上側に向かい第３止水面１４０Ｆに近づくように（すなわち、防水パン本体１３０に近づく方向に）傾斜した受け側係合面１４０Ｄが形成されている。第３止水面１４０Ｆは受け側係合面１４０Ｄの反対側であって、設置状態において垂直方向に延びている。
【００３５】
アタッチメント１３５の第１係合部１３６の第１係合部本体１３６Ａは、本体側立壁４０Ａに沿って上下方向に延びている。第１係合部本体１３６Ａの第３止水面１４０Ｆに対向して当接する面は第４止水面１３６Ｆである。つまり、設置状態において、第３止水面１４０Ｆと第４止水面１３６Ｆとは当接している。また、第３止水面１４０Ｆに当接する第４止水面１３６Ｆは設置状態において垂直方向に延びている。
第１係合部１３６の連結部１３６Ｂは水平方向に延びて形成されている。第１係合部本体１３６Ａ側の連結部１３６Ｂの下側には、上方向に窪んで係合凹部１３６Ｃが形成されている。係合凹部１３６Ｃの受け側係合面１４０Ｄに対向して当接する面は係合部側係合面１３６Ｄである。つまり、受け側凸部１４０Ｅの受け側係合面１４０Ｄ、及び係合凹部１３６Ｃの係合部側係合面１３６Ｄは設置状態において上側に向かい防水パン本体１３０に近づく方向に傾斜している。また、第４止水面１３６Ｆは係合部側係合面１３６Ｄに対向している。また、第１係合部１３６は受け側凸部１４０Ｅに係合する係合凹部１３６Ｃを具備している。
【００３６】
防水パン本体１３０にアタッチメント１３５を取り付ける際、先ず、床フレーム５０に防水パン本体１３０を載置する（図６（Ａ）参照。）。次に、アタッチメント１３５の第２係合部３７の爪部３７Ａを底壁１４０Ｂの下側に配置する（図６（Ｂ）参照。）。このとき、第１係合部本体１３６Ａの係合凹部１３６Ｃは受け側凸部１４０Ｅの上方に位置している。そして、アタッチメント１３５の第２係合部３７の爪部３７Ａを底壁１４０Ｂの下側に配置した状態で、第１係合部本体１３６Ａの係合凹部１３６Ｃを受け側凸部１４０Ｅに嵌め込む（図６（Ｃ）参照。）。このとき、第１係合部本体１３６Ａの係合凹部１３６Ｃの係合部側係合面１３６Ｄが受け側凸部１４０Ｅの受け側係合面１４０Ｄに当接することによって、アタッチメント１３５に防水パン本体１３０の中央部から離れる方向（第３止水面１４０Ｆと第４止水面１３６Ｆとが互いに押付け合う方向）に力が加えられる。これにより、受け側凸部１４０Ｅの第３止水面１４０Ｆとアタッチメント１３５の第４止水面１３６Ｆとが互いに押付け合うように当接する。このため、第３止水面１４０Ｆと第４止水面１３６Ｆとが密着する。
【００３７】
このように、防水パン１２０は、防水パン本体１３０の上方に突出した受け側凸部１４０Ｅにアタッチメント１３５の係合凹部１３６Ｃが係合する。つまり、防水パン本体１３０とアタッチメント１３５とが上下に重なって互いに受け側凸部１４０Ｅと係合凹部１３６Ｃとが嵌り合い係合している。このため、上下方向に水が流れ難く止水性が良好である。また、アタッチメント１３５を防水パン本体１３０に固定するためにねじを用いておらず、ねじを挿通する挿通孔が不要となるため止水性が良好である。また、仮にねじで固定する場合であっても、係合とねじとを併用することになるため、アタッチメント１３５と防水パン本体１３０とをより強固に固定することができ、止水性が良好である。
【００３８】
したがって、実施例２の防水パン１２０も漏水を良好に抑えることができる。
【００３９】
また、防水パン１２０の受け側凸部１４０Ｅの受け側係合面１４０Ｄ、及び係合凹部１３６Ｃの係合部側係合面１３６Ｄが設置状態において上側に向かい前記防水パン本体に近づく方向にしている。このため、受け側係合面１４０Ｄ及び係合部側係合面１３６Ｄはアタッチメント１３５を防水パン本体１３０に取り付ける際に、呼込み面として機能するため、アタッチメント１３５を防水パン本体１３０に取り付け易くすることができる。
【００４０】
また、防水パン１２０の係合受け部１４０は、受け側係合面１４０Ｄの反対側であって、設置状態において垂直方向に延びた第３止水面１４０Ｆを有し、係合凹部１３６Ｃは、係合部側係合面１３６Ｄに対向し、設置状態において垂直方向に延びた第４止水面１３６Ｆを有し、設置状態において、第３止水面１４０Ｆと第４止水面１３６Ｆとが当接している。このため、第１係合部本体１３６Ａが係合受け部１４０に嵌りこむ際に、受け側係合面１４０Ｄ、及び係合部側係合面１３６Ｄの傾斜によってアタッチメント１３５に対して、第３止水面１４０Ｆ、及び第４止水面１３６Ｆが互いに当接して押し付け合う方向に力が付与され、アタッチメント１３５が防水パン本体１３０に取り付けられる。これにより、当接した第３止水面１４０Ｆ、及び第４止水面１３６Ｆから漏水し難くすることができる。
【００４１】
＜実施例３＞
実施例３の防水パン２２０は、図７に示すように、アタッチメント２３５に上下方向に貫通した第１ねじ穴２３５Ａが形成され、防水パン本体２３０には上方に開口し、凹設した第２ねじ穴２３０Ａが形成され、第１ねじ穴２３５Ａに挿通され、第２ねじ穴２３０Ａにねじ込まれるねじＳ２が備えられている点が実施例１、２と相違する。他の構成は実施例１と同一であり、同一の構成は同一の符号を付し、詳細な説明を省略する。
【００４２】
防水パン２２０のアタッチメント２３５の連結部２３６Ｂには、アタッチメント２３５が防水パン本体２３０に係合した設置状態において、上下方向に貫通した第１ねじ穴２３５Ａが、図７における手前奥方向に複数並んで形成されている。
また、防水パン本体２３０には、アタッチメント２３５が防水パン本体２３０に係合した設置状態において、アタッチメント２３５の第１ねじ穴２３５Ａに連通し、上方向に開口して凹設された第２ねじ穴２３０Ａが、図７における手前奥方向に複数並んで形成されている。
そして、複数のねじＳ２を各第１ねじ穴２３５Ａに挿通し、各第２ねじ穴２３０ＡにこれらのねじＳ２をねじ込む。こうして、アタッチメント２３５が防水パン本体２３０にねじ留めされる。
【００４３】
このように、防水パン２２０は、防水パン本体２３０の上方に開口した受け側凹部４０Ｅにアタッチメント２３５の係合凸部３６Ｃが係合する。つまり、防水パン本体２３０とアタッチメント２３５とが上下に重なって互いに受け側凹部４０Ｅと係合凸部３６Ｃとが嵌り合い係合している。このため、上下方向に水が流れ難く止水性が良好である。また、アタッチメント２３５を防水パン本体２３０にねじＳ２で固定しており、係合とねじＳ２とを併用しているため、アタッチメント２３５と防水パン本体２３０とをより強固に固定することができ、止水性が良好である。
【００４４】
したがって、実施例３の防水パン２２０も漏水を良好に抑えることができる。
【００４５】
また、防水パン２２０のアタッチメント２３５には設置状態において上下方向に貫通した第１ねじ穴２３５Ａが形成され、防水パン本体２３０には設置状態において上方に開口し、凹設した第２ねじ穴２３０Ａが形成されており、第１ねじ穴２３５Ａに挿通され、第２ねじ穴２３０Ａにねじ込まれるねじＳ２を備えている。第２ねじ穴２３０Ａは貫通していないため、第２ねじ穴２３０Ａを経由して漏水することはない。そして、第１ねじ穴２３５Ａに挿通され、第２ねじ穴２３０Ａにねじ込まれるねじＳ２によってアタッチメント２３５を防水パン本体２３０に対して確実に固定することができる。
【００４６】
本発明は上記記述及び図面によって説明した実施例に限定されるものではなく、例えば次のような実施例も本発明の技術的範囲に含まれる。
（１）実施例１、２では、アタッチメント、及び防水パン本体のそれぞれの係合部側係合面、受け側係合面が傾斜して形成されているが、係合部側係合面、受け側係合面のいずれか一方が傾斜している構成としてもよい。
（２）実施例１、２では、床フレームに防水パン本体を載置した後にアタッチメントを取り付けているが、防水パン本体を床フレームに載置する前に防水パン本体にアタッチメントを取り付けてもよい。
【符号の説明】
【００４７】
３０，１３０，２３０…防水パン本体
３１，１３１…外縁部
３５，１３５，２３５…アタッチメント
３６Ａ，１３６Ａ…第１係合部本体（第１係合部）
３６Ｃ…係合凸部
３６Ｄ，１３６Ｄ…係合部側係合面
３６Ｆ…第２止水面
３７…第２係合部
４０，１４０…係合受け部
４０Ｄ，１４０Ｄ…受け側係合面
４０Ｅ…受け側凹部
４０Ｆ…第１止水面
１３６Ｃ…係合凹部
１３６Ｆ…第４止水面
１４０Ｅ…受け側凸部
１４０Ｆ…第３止水面
２３０Ａ…第２ねじ穴
２３５Ａ…第１ねじ穴
Ｓ２…ねじ
【図１】
0006987658.tif 000002
【図２】
0006987658.tif 000003
【図３】
0006987658.tif 000004
【図４】
0006987658.tif 000005
【図５】
0006987658.tif 000006
【図６】
0006987658.tif 000007
【図７】
0006987658.tif 000008